(57)【要約】【課題】デジタル放送を受信するときのチャンネル切替え後の番組が視聴できるようになるまでに要する時間を短縮する。【解決手段】デジタル放送受信装置１は、トランスポートストリームに含まれる各チャンネルのＴＳパケットに対応するパケットＩＤを記憶する識別情報記憶手段と、トランスポートストリームから各チャンネルのパケットＩＤを取得して識別情報記憶手段に記憶させる記憶制御手段を有する。また、デジタル放送受信装置１は、チャンネルが切り替わったときにおいて、切替後チャンネルが識別情報記憶手段にパケットＩＤが記憶されているチャンネルと一致しているときは、識別情報記憶手段に記憶されているパケットＩＤを用いて映像または音声を出力するように制御する制御手段を有している。【選択図】図１
2008011445.tif 000002
【特許請求の範囲】
【請求項１】
デジタル放送の放送波を選択して受信する受信手段と、該受信手段が受信した放送信号を復調してトランスポートストリームを生成する復調手段とを備えたデジタル放送受信装置であって、
前記復調手段により生成された前記トランスポートストリームに含まれる各チャンネルのトランスポートパケットを識別するためのパケット識別情報を記憶する識別情報記憶手段と、
チャンネルが切り替わったときにおいて、該切り替わった後の切替後チャンネルが前記識別情報記憶手段に前記パケット識別情報が記憶されているチャンネルと一致しているときは、前記識別情報記憶手段に記憶されている前記パケット識別情報を用いて映像または音声を出力するように制御する制御手段とを有することを特徴とするデジタル放送受信装置。
【請求項２】
前記トランスポートストリームから前記パケット識別情報を取得して前記識別情報記憶手段に記憶させる記憶制御手段を更に有することを特徴とする請求項１記載のデジタル放送受信装置。
【請求項３】
前記記憶制御手段は、前記パケット識別情報を映像信号、音声信号およびその他に分けて前記パケット識別情報を記憶させることを特徴とする請求項２記載のデジタル放送受信装置。
【請求項４】
チャンネルが切り替わったときに、前記切替後チャンネルが前記識別情報記憶手段に前記パケット識別情報が記憶されているチャンネルと一致しているか否かを判定する判定手段を更に有し、
前記制御手段は、前記判定手段の判定結果に基づいて制御することを特徴とする請求項１〜３のいずれか一項記載のデジタル放送受信装置。
【請求項５】
前記記憶制御手段が前記パケット識別情報を前記識別情報記憶手段に記憶させてからの経過日時が閾値を超えているか否かを判定する経過日時判定手段と、
前記経過日時判定手段によって前記経過日時が前記閾値を超えていると判定されたときに、前記パケット識別情報を記憶させることによって前記識別情報記憶手段を更新する更新制御手段とを更に有することを特徴とする請求項２〜４のいずれか一項記載のデジタル放送受信装置。
【請求項６】
前記パケット識別情報が設定されるＰＩＤフィルタと、
チャンネルが切り替わったときに、前記識別情報記憶手段から、記憶されている前記パケット識別情報を読み出して前記ＰＩＤフィルタに設定するパケット識別情報設定手段とを更に有することを特徴とする請求項１〜５のいずれか一項記載のデジタル放送受信装置。
【請求項７】
デジタル放送の放送波を選択して受信する受信手段と、該受信手段が受信した放送信号を復調してトランスポートストリームを生成する復調手段とを備えたデジタル放送受信装置におけるデジタル放送受信方法であって、
前記復調手段により生成された前記トランスポートストリームに含まれる各チャンネルのトランスポートパケットを識別するためのパケット識別情報を記憶しておき、
チャンネルが切り替わったときにおいて、該切り替わった後の切替後チャンネルが前記パケット識別情報が記憶されているチャンネルと一致しているときは、前記記憶されていた前記パケット識別情報を用いて映像または音声を出力するように制御することを特徴とするデジタル放送受信方法。
【発明の詳細な説明】
【技術分野】
【０００１】
本発明は、地上デジタル放送、衛星放送等の放送波を受信して復調処理を行い、映像信号および音声信号を再生するデジタル放送受信装置およびデジタル放送受信方法に関する。
【背景技術】
【０００２】
近年、地上デジタル放送や、ＢＳ（Broadcasting Satellite）放送、１１０度ＣＳ（Communication Satellite）放送といった衛星デジタル放送の放送波を受信して、デジタル化された映像信号および音声信号を再生するデジタル放送受信装置が普及している。
【０００３】
従来から様々なデジタル放送受信装置が知られているが、例えば特許文献１には、チャンネルを切り替えたときに、切り替え後のチャンネルの番組が視聴できるようになるまでに要する時間を短縮するデジタル放送受信装置が開示されている。このデジタル放送受信装置は、複数の放送受信手段のいずれかを視聴受信状態か、またはユーザが指定した優先視聴チャンネルの放送を受信する待機受信状態に設定し、ユーザの希望放送チャンネルが優先視聴チャンネルに一致したときは、待機受信状態に設定されている放送受信手段からの映像、音声が出力されるようになっている。
【特許文献１】特開２００５−３５４２８３号公報
【発明の開示】
【発明が解決しようとする課題】
【０００４】
デジタル放送で配信される映像信号および音声信号は、ＭＰＥＧ−２と呼ばれる符号化方式によって符号化されている。そのため、デジタル放送受信装置では、復調処理を行った後、デマルチプレクサにおいて、ＭＰＥＧ−２で符号化されている映像信号および音声信号を処理する必要がある。
【０００５】
しかし、従来のデジタル放送受信装置では、ＭＰＥＧ−２の仕組み上、デマルチプレクサや、Ｉピクチャ待ち時間、ＶＢＶ−ｄｅｌａｙ（ＭＰＥＧ−２ビットストリーム中に記述されるもので、デコーダにおいて、各ピクチャのpicture start codeがＶＢＶバッファに入力されてから復号開始までの遅延時間を規定するもの）などが不可避であった。そのため、上記した特許文献１に開示されているデジタル放送受信装置でも、デジタル放送を受信するときは、アナログ放送を受信するときよりも、チャンネルの切り替えた後の番組が視聴できるようになるまでに時間がかかるという課題が解決されていなかった。
【０００６】
そこで、本発明は上記課題を解決するためになされたもので、デジタル放送受信装置およびデジタル放送受信方法において、デジタル放送を受信するときのチャンネル切替え後の番組が視聴できるようになるまでに要する時間を短縮することを目的とする。
【課題を解決するための手段】
【０００７】
上記課題を解決するため、本発明は、デジタル放送の放送波を選択して受信する受信手段と、その受信手段が受信した放送信号を復調してトランスポートストリームを生成する復調手段とを備えたデジタル放送受信装置であって、復調手段により生成されたトランスポートストリームに含まれる各チャンネルのトランスポートパケットを識別するためのパケット識別情報を記憶する識別情報記憶手段と、チャンネルが切り替わったときにおいて、その切り替わった後の切替後チャンネルが識別情報記憶手段にパケット識別情報が記憶されているチャンネルと一致しているときは、識別情報記憶手段に記憶されているパケット識別情報を用いて映像または音声を出力するように制御する制御手段とを有するデジタル放送受信装置を特徴とする。
【０００８】
また、本発明は、デジタル放送の放送波を選択して受信する受信手段と、その受信手段が受信した放送信号を復調してトランスポートストリームを生成する復調手段とを備えたデジタル放送受信装置におけるデジタル放送受信方法であって、復調手段により生成されたトランスポートストリームに含まれる各チャンネルのトランスポートパケットを識別するためのパケット識別情報を記憶しておき、チャンネルが切り替わったときにおいて、その切り替わった後の切替後チャンネルがパケット識別情報が記憶されているチャンネルと一致しているときは、記憶されていたパケット識別情報を用いて映像または音声を出力するように制御するデジタル放送受信方法を提供する。
【発明の効果】
【０００９】
以上詳述したように、本発明によれば、デジタル放送を受信するときのチャンネル切替え後の番組が視聴できるようになるまでに要する時間を短縮することが可能なデジタル放送受信装置およびデジタル放送受信方法が得られる。
【発明を実施するための最良の形態】
【００１０】
以下、本発明の実施の形態について説明する。なお、同一要素には同一符号を用い、重複する説明は省略する。
【００１１】
図１は、本発明の実施の形態に係るデジタル放送受信装置１の構成を示すブロック図である。図１に示すように、デジタル放送受信装置１はチューナ２と、復調回路３と、デマルチプレクサ４と、ＰＩＤメモリ１０と、デスクランブラ１２と、デコーダ１４とを有している。また、デジタル放送受信装置１は、映像処理部１５と、音声処理部１６と、表示装置１７と、スピーカ１８とを有している。
【００１２】
チューナ２は、図示しない地上デジタル放送用のアンテナ(本実施の形態では、地上デジタル放送用のアンテナを想定しているが、衛星デジタル放送用のアンテナでもよい)が受け取った放送波が供給される。チューナ２は、アンテナから供給される放送波から、指定されたチャンネルに対応する所定周波数の信号成分を選択して受信する受信処理を行い復調回路３に出力する。
【００１３】
なお、本実施の形態の場合、チューナ２は地上デジタル放送用に構成されているが、衛星デジタル放送用に構成されていてもよい。また、デジタル放送受信装置１は地上デジタル放送用に構成されたチューナと、衛星デジタル放送用に構成されたチューナとを双方ともに有していてもよい。
【００１４】
復調回路３は、チューナ２によって抽出された信号成分について、所定の復調処理を施し、さらに誤り訂正等の処理を施して、トランスポートストリーム（Transport Stream）ＴＳを生成する。生成されるトランスポートストリームＴＳは、デマルチプレクサ４に入力される。
【００１５】
デマルチプレクサ４は、トランスポートストリームＴＳの各パケット（ＴＳパケット）に付加されているパケット識別情報（パケットＩＤ，ＰＩＤともいう）を参照して、各ＴＳパケットのペイロードに含まれる映像、音声、その他のデータの種類を判別する。
【００１６】
デマルチプレクサ４には、図１に示すように、ＰＩＤフィルタ５，６，７が設けられている。ＰＩＤフィルタ５，６，７には、ＰＩＤメモリ１０からチャンネルが切り替わったときに読み出されたパケットＩＤが、映像、音声、その他のデータ（放送される番組の番組名、放送時間など）といったデータの種別に応じて設定されるようになっている。
【００１７】
また、デマルチプレクサ４は、トランスポートストリームＴＳからパケットＩＤを取得して、ＰＩＤメモリ１０の後述するＰＩＤテーブル２０に記憶させる記憶制御手段としての機能を有している。
【００１８】
さらに、デマルチプレクサ４は後述するＰＡＴ、ＰＭＴを取得することによって、受信すべき映像および音声等のパケットＩＤを認識し、認識したパケットＩＤと一致するパケットＩＤのＴＳパケットを映像信号、音声信号に分けてデスクランブラ１２に出力する。なお、トランスポートストリームＴＳは暗号化されているため、デスクランブラ１２による解読処理が施される。
【００１９】
ここで、ＰＡＴ（Program Association Table)とは、放送番組に関連するＰＭＴを伝送するＴＳパケットのパケットＩＤを指定する機能を有している。このＰＡＴはＰＭＴとともに本発明におけるパケット指定情報を構成している。
【００２０】
また、ＰＭＴ（Program Map Table)とは、放送番組を構成する各符号化信号(映像信号、音声信号など)を伝送するＴＳパケットのパケットＩＤおよび有料放送の関連情報のうち、共通情報（例えばＥＣＭ：Entitlement Control Message；番組に関する情報とデスクランブルのための鍵など）を伝送するＴＳパケットのパケットＩＤを指定する機能を有している。
【００２１】
デスクランブラ１２は、解読カード１９から暗号解読に必要な暗号鍵情報を入力し、その暗号鍵情報を用いて、デマルチプレクサ４から出力される暗号化されたＴＳパケットを解読し、解読したＴＳパケットをデコーダ１４に出力する。
【００２２】
デコーダ１４は、映像デコーダ１３ａ、音声デコーダ１３ｂを有している。映像デコーダ１３ａは入力されるＴＳパケットに復号化処理を施してデジタル映像信号を生成し、映像処理部１５に出力する。音声デコーダ１３ｂは入力されるＴＳパケットに復号化処理を施してデジタル音声信号を生成し、音声処理部１６に出力する。
【００２３】
映像処理部１５は、映像デコーダ１３ａから出力されるデジタル映像信号をアナログ映像信号に変換するなどの処理を行い、アナログ映像信号を表示装置１７に出力する。音声処理部１６は、音声デコーダ１３ｂから出力されるデジタル音声信号をアナログ音声信号に変換するほか、増幅などの処理を行い、アナログ音声信号をスピーカ１８に出力する。表示装置１７は液晶表示パネルなどを備え、入力してアナログ映像信号に応じた映像を晶表示パネルなどに表示する。スピーカ１８は、アナログ音声信号を入力して音声を出力する。
【００２４】
解読カード１９は、Ｂ−ＣＡＳ（ＢＳ−Coditional Access SystemS、）カードであって、デジタル放送で配信される番組の著作権保護や有料放送の視聴等に利用するためのカードである。このＢ−ＣＡＳカードは、株式会社ビーエス・コンディショナルアクセスシステムズにより提供される受信限定方式（Ｂ−ＣＡＳ方式）で使用され、デジタル放送受信装置１に備えられた所定のカードスロットに挿入して使用される。
【００２５】
この解読カード１９には、デマルチプレクサ４から出力される暗号化されているＴＳパケットを解読するときに必要な暗号鍵情報が記憶されている。受信限定が行われている放送番組では、解読カード１９が必要であり、解読カード１９を挿入することが必須となっている。
【００２６】
ここで、図２を参照してＰＩＤメモリ１０に記憶されているＰＩＤテーブル２０について説明する。図２はＰＩＤテーブル２０の構成の一例を示す図である。ＰＩＤテーブル２０は、本発明における識別情報記憶手段であって、チャンネル記憶部２０ａと、映像ＰＩＤ記憶部２０ｂと、音声ＰＩＤ記憶部２０ｃ、ＥＣＭ−ＰＩＤ記憶部２０ｄおよび更新日記憶部２０ｅを有している。ＰＩＤテーブル２０は映像、音声、ＥＣＭをそれぞれ伝送するＴＳパケットのパケットＩＤと、それらを取得した日付がチャンネルごとに記憶されるようになっている。
【００２７】
チャンネル記憶部２０ａには、チャンネルを特定するためのチャンネルコードが記憶される。映像ＰＩＤ記憶部２０ｂには、映像信号を伝送するＴＳパケットのパケットＩＤがチャンネル記憶部２０ａに記憶されているチャンネルコードごとに記憶されている。また、音声ＰＩＤ記憶部２０ｃには、音声信号を伝送するＴＳパケットのパケットＩＤがチャンネルコードごとに記憶され、ＥＣＭ−ＰＩＤ記憶部２０ｄには、ＥＣＭを伝送するＴＳパケットのパケットＩＤがチャンネルコードごとに記憶されている。更新日記憶部２０ｅには、チャンネルコードごとの更新日が記憶されている。
【００２８】
次に、以上の構成を有するデジタル放送受信装置１において、チャンネルが切り替わったときの動作の内容について、図３に示すフローチャートを参照して説明する。図３はデジタル放送受信装置１において、チャンネルが切り替わったときに行われるＰＩＤチェック処理の動作手順を示すフローチャートである。このＰＩＤチェック処理は、チャンネルが切り替わったときにデマルチプレクサ４によって行われる。
【００２９】
デマルチプレクサ４は、ＰＩＤチェック処理を開始すると、処理をステップ１に進めてパケット識別情報設定手段としての動作を行い、ＰＩＤメモリ１０に記憶されているＰＩＤテーブル２０から、各チャンネルの各パケットＩＤを読み出し、ＰＩＤフィルタ５、６、７に設定する。
【００３０】
続いて、デマルチプレクサ４は、処理をステップ２に進め、判定手段としての動作を行う。すなわち、デマルチプレクサ４は、ステップ１で設定した各パケットＩＤを用いて、現在受信中のチャンネル（切り替わった後のチャンネルで本発明における切替後チャンネル）が、ＰＩＤテーブル２０にパケットＩＤが記憶されているチャンネル（記憶済チャンネル）と一致するか否かを判定する。
【００３１】
ここで、デマルチプレクサ４は、切替後チャンネルが記憶済チャンネルと一致しなければ処理をステップ３に進めるが、一致するとき（双方のチャンネルが一致するチャンネル一致が成立したとき）は、制御手段としての動作を行いステップ７に処理を進める。デマルチプレクサ４は、処理をステップ７に進めると、ステップ１で設定したパケットＩＤを用いて映像または音声を出力するための処理を行う。
【００３２】
次に、デマルチプレクサ４は処理をステップ３に進めると、必要に応じてトランスポートストリームを切り替え、ＰＡＴを伝送するＴＳパケットを受信するまで待機し、ＰＡＴを伝送するＴＳパケットを受信すると、処理をステップ４に進める。ここで、デマルチプレクサ４は、受信したＴＳパケットのＰＡＴにしたがい、該当サービス（本実施の形態では、地上デジタル放送の番組を想定している）のＰＭＴを伝送するＴＳパケットのパケットＩＤを取得する。
【００３３】
続いてデマルチプレクサ４は、処理ステップ５に進めると、ステップ４で取得したパケットＩＤに対応するＴＳパケットから、該当サービスのＰＭＴを取得し、存在する映像信号、音声信号などのコンポーネントを確認する。また、デマルチプレクサ４は、処理をステップ６に進め、ステップ５で取得したＰＭＴにしたがい、表示装置１７の映像表示またはスピーカ１８の音声出力によって提示すべきコンポーネントの符号化信号を選択する。これ以降の処理によって、ＰＭＴによって指定されるパケットＩＤのＴＳパケットがデスクランブラ１２に出力されるようになる。
【００３４】
以上のようにすることにより、必要とされる映像信号、音声信号などを取得するためのＴＳパケットが特定され、該当するＴＳパケットがデスクランブラ１２に出力される。
【００３５】
ここで、トランスポートストリームＴＳのうち、ＰＡＴを伝送するＴＳパケットｔｓ１、ＰＭＴを伝送するＴＳパケットｔｓ２、地上デジタル放送の番組等該当サービスを提供するための符号化信号（映像信号、音声信号、ＥＣＭなど）を伝送するＴＳパケットｔｓ３の関係を図示すると図４のようになる。
【００３６】
ＴＳパケットｔｓ１は、パケットＩＤが“０ｘ００００”で、ペイロードにＰＡＴが含まれている。このＴＳパケットｔｓ１に含まれるＰＡＴにより、ＰＭＴを伝送するＴＳパケットｔｓ２のパケットＩＤ“０ｘ０００９”が指定される。ＴＳパケットｔｓ２のペイロードにはＰＭＴが含まれている。このＴＳパケットｔｓ２に含まれるＰＭＴにより、符号化信号を伝送するＴＳパケットｔｓ３のパケットＩＤ“０ｘ０１００”が指定される。
【００３７】
このように、ＰＡＴを受信することによってＰＭＴが指定され、そのＰＭＴによって、受信すべき放送番組を構成する各符号化信号および共通情報を伝送するＴＳパケットｔｓ３が指定されるようになっている。ＰＡＴ、ＰＭＴはいずれも所定の再送周期（１００ｍｓ）で再送されており、デマルチプレクサ４がＴＳパケットｔｓ３を認識するためには、その再送周期で送信されるＰＡＴおよびＰＭＴを受信するまで待って両者を特定する必要がある。
【００３８】
しかしながら、デジタル放送受信装置１は、上記のような構成を有し、チャンネルが切り替わったときに上記のようにしてＰＩＤチェック処理を行うから以下のような作用効果を奏するものである。
【００３９】
デジタル放送受信装置１は、受信すべき映像信号、音声信号の取得に要するチャンネルのパケットＩＤをＰＩＤメモリ１０のＰＩＤテーブル２０に記憶している。また、デジタル放送受信装置１は、チャンネルが切り替わったときに行うＰＩＤチェック処理で受信中のチャンネルが、ＰＩＤテーブル２０にパケットＩＤが記憶されている記憶済チャンネルと一致するか否かを判定している。
【００４０】
そして、両者が一致しているときは、ＰＩＤテーブル２０に記憶されているパケットＩＤ（このパケットＩＤは、上記の説明では、ＰＩＤフィルタ５、６、７に設定されている）を用いることによって必要なＴＳパケットが得られるので、ＰＡＴおよびＰＭＴによってパケットＩＤを指定する必要がなく、ＰＡＴおよびＰＭＴを受信するまで待つ必要もない。
【００４１】
つまり、デジタル放送受信装置１は、ＰＡＴおよびＰＭＴの受信を待たなくても、以後の処理を行えるから、チャンネル切り替えたときに必要とされるパケットＩＤの指定が簡略化され、その分、切替え後の番組が視聴できるようになるまでに要する時間を短縮できるようになっている。
【００４２】
ただし、受信中のチャンネルと、ＰＩＤテーブル２０にパケットＩＤが記憶されているチャンネルとが一致しないときは、ＰＡＴ，ＰＭＴの受信を待たねばならないから、切り替えに要する時間は短縮されないこととなる。
【００４３】
一方、各チャンネルのパケットＩＤは、所定日時が経過すると更新されるので、ＰＩＤメモリ１０のＰＩＤテーブル２０に記憶されているパケットＩＤは定期的に更新することが望ましい。そのため、デマルチプレクサ４は、図５に示すフローチャートに沿って、パケットＩＤ更新処理を実行している。
【００４４】
デマルチプレクサ４は、パケットＩＤ更新処理を開始すると、処理をステップ１０に進め、経過日時判定手段としての動作を行う。この場合、デマルチプレクサ４は、パケットＩＤをＰＩＤテーブル２０に記憶させてからの経過日時が閾値としての所定日時（数日程度）が超えているか否かを判定し、経過日時が所定日時を超えていると判定したときは処理をステップ１１に進めるが、そうでなければステップ１１の処理を実行することなくパケットＩＤ更新処理を終了する。また、デマルチプレクサ４は、処理をステップ１１に進めると、更新制御手段としての動作を行い、各チャンネルのパケットＩＤを取得してＰＩＤテーブル２０に記憶させてＰＩＤテーブル２０を更新する。
【００４５】
このパケットＩＤ更新処理を実行することによって、ＰＩＤテーブル２０に記憶されるパケットＩＤを常時最新状態に保つことができる。そのため、パケットＩＤの一致が成立してパケットＩＤの指定が簡略化されやすく、その分、切り替えに要する時間を短縮できるようになっている。
【００４６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４７】
【図１】本発明の実施の形態に係るデジタル放送受信装置の構成を示すブロック図である。
【図２】ＰＩＤテーブルの構成の一例を示す図である。
【図３】デジタル放送受信装置において、チャンネルの切り替えが行われたときに行われるパケットＩＤチェック処理の動作手順を示すフローチャートである。
【図４】３つのＴＳパケットの関係を模式的に示す図である。
【図５】パケットＩＤ更新処理の動作手順を示すフローチャートである。
【符号の説明】
【００４８】
１…デジタル放送受信装置、２…チューナ、３…復調回路、４…デマルチプレクサ、５，６，７…ＰＩＤフィルタ、１０…ＰＩＤメモリ、２０…ＰＩＤテーブル
【図１】
2008011445.tif 000003
【図２】
2008011445.tif 000004
【図３】
2008011445.tif 000005
【図４】
2008011445.tif 000006
【図５】
2008011445.tif 000007